(57)【要約】【課題】フラットハンドル及び押圧スイッチを備えたブレーカであっても、容易かつ確実に起倒操作及び押圧操作ができること。【解決手段】ブレーカ操作具１０は、分電盤４０において、漏電ブレーカ５０、安全ブレーカ６０、アンペアブレーカ７０等のハンドル５１，６１，７１、漏電表示ボタン５２、テストボタン５３等を操作する際に使用され、グリップ部１１と、伸縮自在な主軸部１２と、横アーム部１３ａと縦アーム部１３ｂとからなり上記ハンドル５１等を起倒操作する操作アーム部１３と、横アーム部１３ａの長さよりも小さい幅を有して横アーム部１３ａの先端に突設され、上記ハンドル５１等を起倒操作すると共に漏電表示ボタン５２及びテストボタン５３を押圧操作する操作突起部１４と、主軸部１２の先端に設けられ照射方向を変更可能に構成された照明部１５と、を備える。【選択図】図１
2010027345.tif 000002
【特許請求の範囲】
【請求項１】
起倒操作されることにより接点を開閉する起倒スイッチ及び押圧操作されることにより接点を開閉する押圧スイッチを備えたブレーカを操作する際に使用されるブレーカ操作具であって、
手で把持されるグリップ部と、
前記グリップ部から伸縮自在に延設された主軸部と、
横アーム部と縦アーム部とからなり全体を略Ｌ字状に形成されていると共に、前記縦アーム部の基端部が前記主軸部の先端に固定され、前記起倒スイッチを起倒操作する操作アーム部と、
前記横アーム部の長さよりも小さい幅を有して当該横アーム部の先端に突設され、前記起倒スイッチを起倒操作すると共に前記押圧スイッチを押圧操作する操作突起部と、
を備えることを特徴とするブレーカ操作具。
【請求項２】
前記主軸部の先端には、照射方向を変更可能に構成された照明部を備え、
前記照明部は、
前記主軸部と同軸状に設けられた筒状筐体と、
前記筒状筐体に対して回動自在に設けられた発光素子部と、
前記筒状筐体の内部に設けられ前記発光素子部に電力を供給する電源部、
前記筒状筐体の外部に設けられ前記電源部と前記発光素子部との接続回路を開閉するスイッチと、
を有することを特徴とする請求項１に記載のブレーカ操作具。
【発明の詳細な説明】
【技術分野】
【０００１】
本発明は、住宅等において過電流、漏電等を防止するためのブレーカの操作を補助するブレーカ操作具に関する。
【背景技術】
【０００２】
従来より、電気の使用可能な住宅等の建物には、過電流、漏電等を防止するためのブレーカを備えた分電盤が設置されている。図１３は、一般的な分電盤を示す正面図である。
【０００３】
図１３に示すように、分電盤４０は、漏電ブレーカ５０、安全ブレーカ６０及びアンペアブレーカ７０が配されている。漏電ブレーカ５０は、電気製品や屋内配線の漏電を検知した場合、また一定以上の電流が流れた場合に自動的に電気を遮断する機器である。
【０００４】
安全ブレーカ６０は、建物内で区分けされた複数の回路毎に設けられ、容量以上の電気の使用、ショート等を検知した場合に、その回路のみを遮断し、建物全体の停電を防ぐ機器である。アンペアブレーカ７０は、電力会社と契約した電流量以上の電流が流れた場合に遮断する機器である。
【０００５】
漏電ブレーカ５０は、上下に摺動するレバースイッチ状のハンドル５１と、漏電表示ボタン５２及びテストボタン５３と、を備えている。ハンドル５１は、上方に位置している時には、「入」すなわち通電可能状態となり、下方に位置している時には、「切」すなわち電気遮断状態となるように構成されている。
【０００６】
漏電表示ボタン５２は、通常時においては押圧された（突出していない）状態となっているが、漏電を原因として電気の遮断が行われた場合には突出した状態となるように構成されている。
【０００７】
上記のような分電盤４０は、通常、住宅における洗面所や廊下、台所、玄関等、目線よりも高い場所に設置されている。このため、作業者が分電盤４０の故障等を修理する場合においてブレーカを操作するときには、脚立や椅子等を使用していた。
【０００８】
また、分電盤４０の付近に家具等の障害物が置かれている場合には、これらの障害物を移動して作業スペースを確保してから、上記脚立等を使用してブレーカの操作を行っていた。一方、上記障害物を移動できない場合には、作業者は障害物を避けながら分電盤４０に近づき、無理な姿勢で漏電ブレーカ５０や安全ブレーカ６０等の操作を行っていた。
【０００９】
このように、高所に設置された安全ブレーカ６０等の操作は、手間と時間を要するものであった。また、脚立や椅子等を使用して作業する場合、安定性が良いとは言えず、転倒する虞もあった。更に、短絡等の故障原因がある場合には、漏電ブレーカ５０等の「入」操作の際、アークによる負傷の虞もあり、ある程度離れた場所から操作したいとの要請があった。
【００１０】
上記のような課題を解決するために、従来のブレーカ操作具として、例えば、特許文献１に開示されたものが提供されている。すなわち、特許文献１に係るブレーカ操作具は、棒状部材と、棒状部材の先端部に回転可能に設置されブレーカのハンドルを操作するローラを具備して構成されている。また、上記棒状部材には、発光装置及び蛍光材が配されている。
【００１１】
なお、関連する技術として、高所設置用ブレーカのハンドルをオン・オフ操作可能なブレーカ操作具が開示されている（例えば、特許文献２参照）。
【００１２】
【特許文献１】特開２００７−５９１６５号公報
【特許文献２】特開２０００−９０８０３号公報
【発明の開示】
【発明が解決しようとする課題】
【００１３】
ところで、近年においては、ブレーカの小型化が進んでおり、従来の半分のサイズのハンドルを備えたブレーカも提供されている。これに加えて、ブレーカの厚み方向（突出方向）の小型化によって、ハンドルの突出高さも小さくなっている。
【００１４】
例えば、上記ハンドルの一例として、「入」時にほぼ平坦となり、「切」時に若干突出するように構成されたブレーカが提供されている。このように、幅が小さく、突出高さが低い起倒式のハンドル（以下、フラットハンドルと称する）は、従来のブレーカ操作具では益々操作しにくいものとなっていた。
【００１５】
また、上記特許文献１に係る従来技術にあっては、ハンドルと当接させて操作する操作部がローラであるため、上記のようなフラットハンドルに対しては、操作部を引っ掛けて操作することができなかった。
【００１６】
このように、フラットハンドルを備えたブレーカであっても、容易かつ確実に起倒操作及び押圧操作ができるブレーカ操作具の提供が望まれていた。また、同時に、漏電表示ボタン５２及びテストボタン５３の押圧スイッチの押圧操作も容易かつ確実に実施できるブレーカ操作具の提供が望まれていた。
【００１７】
本発明は、上記に鑑みてなされたものであって、フラットハンドル及び押圧スイッチを備えたブレーカであっても、容易かつ確実に起倒操作及び押圧操作ができるブレーカ操作具を提供することを目的とする。
【課題を解決するための手段】
【００１８】
上記目的を達成するため、（１）本発明は、起倒操作されることにより接点を開閉する起倒スイッチ及び押圧操作されることにより接点を開閉する押圧スイッチを備えたブレーカを操作する際に使用されるブレーカ操作具であって、手で把持されるグリップ部と、前記グリップ部から伸縮自在に延設された主軸部と、横アーム部と縦アーム部とからなり全体を略Ｌ字状に形成されていると共に、前記縦アーム部の基端部が前記主軸部の先端に固定され、前記起倒スイッチを起倒操作する操作アーム部と、前記横アーム部の長さよりも小さい幅を有して当該横アーム部の先端に突設され、前記起倒スイッチを起倒操作すると共に前記押圧スイッチを押圧操作する操作突起部と、を備えることを特徴とする。
【００１９】
（２）  （１）の発明においては、前記主軸部の先端には、照射方向を変更可能に構成された照明部を備え、前記照明部は、前記主軸部と同軸状に設けられた筒状筐体と、前記筒状筐体に対して回動自在に設けられた発光素子部と、前記筒状筐体の内部に設けられ前記発光素子部に電力を供給する電源部、前記筒状筐体の外部に設けられ前記電源部と前記発光素子部との接続回路を開閉するスイッチと、を有することが好ましい。
【発明の効果】
【００２０】
本発明によれば、フラットハンドル及び押圧スイッチを備えたブレーカであっても、容易かつ確実に起倒操作及び押圧操作ができるブレーカ操作具を提供することができる。
【発明を実施するための最良の形態】
【００２１】
以下に、本発明の実施形態を図面に基づいて詳細に説明する。なお、この実施形態により本発明が限定されるものではない。
【００２２】
図１は、主軸部を伸長させたブレーカ操作具を示す正面図、図２は、主軸部を縮めたブレーカ操作具を示す正面図、図３は、ブレーカ操作具を示す平面図、図４は、操作突起部の先端方向から見たブレーカ操作具を示す側面図、図５は、操作突起部の背後方向から見たブレーカ操作具を示す側面図、図６は、照明部の構成を示す部分断面図である。
【００２３】
＜ブレーカ操作具の構成＞
図１〜図５に示すように、ブレーカ操作具１０は、分電盤４０（図１３参照）において、漏電ブレーカ５０、安全ブレーカ６０、アンペアブレーカ７０等のハンドル５１，６１，７１を起倒操作したり、漏電表示ボタン５２、テストボタン５３を押圧操作する際に使用されるものである。
【００２４】
ブレーカ操作具１０は、手で把持されるグリップ部１１と、グリップ部１１から伸縮自在に延設された主軸部１２と、基端部が主軸部１２の先端に固定され上記ハンドル５１，６１，７１を起倒操作する操作アーム部１３（後述の図７、図８、図１１及び図１２参照）と、操作アーム部１３の先端に突設され上記ハンドル５１，６１，７１を起倒操作すると共に、上記漏電表示ボタン５２及びテストボタン５３を押圧操作する操作突起部１４（後述の図９参照）と、主軸部１２の先端に設けられ照射方向を変更可能に構成された照明部１５と、を備える。
【００２５】
グリップ部１１は、金属（例えば、アルミニウム合金）製の有底円筒であり、すべり止めとしての機能を有すると共に、電気的な絶縁性を有するゴム等で被覆されて構成されていることが好ましい。なお、グリップ部１１の下端部には、ストラップ（図示せず）を係止する係止部１１ａが設けられている。
【００２６】
主軸部１２は、金属（例えば、アルミニウム合金）製の円筒である第１主軸部１２ａ及び第２主軸部１２ｂから構成されている。そして、グリップ部１１、第１主軸部１２ａ及び第２主軸部１２ｂは、いわゆるテレスコピックパイプ状に伸縮自在に構成されている。
【００２７】
すなわち、第２主軸部１２ｂは第１主軸部１２ａ内に収まり、第２主軸部１２ｂはグリップ部１１に収まるように構成されている。また、伸縮によって設定された主軸部１２の長さは、特に外力を加えない限り、維持されるようになっている。ブレーカ操作具１０は、最大全長が７０ｃｍ程度、最小全長が３０ｃｍ程度になるように構成されている。
【００２８】
操作アーム部１３は、横アーム部１３ａと縦アーム部１３ｂとからなり全体を略Ｌ字状に形成されていると共に、縦アーム部１３ｂの基端部が主軸部１２の先端に固定されている。操作アーム部１３は、所定の強度を有するアルミニウム合金や鉄等の金属により形成されていることが好ましい。また、操作アーム部１３は、アーク対策のため電気絶縁性を有する素材により被覆されていてもよい。
【００２９】
なお、横アーム部１３ａは、縦アーム部１３ｂの軸方向に対して若干オフセットして設けられているので、後述する発光素子部１７の照明方向と干渉しにくくなっている。
【００３０】
操作突起部１４は、横アーム部１３ａの長さよりも小さい幅を有して当該横アーム部１３ａの先端に突設されている。操作突起部１４は、アーク対策のため電気絶縁性を有する素材により形成されていることが好ましい。
【００３１】
操作突起部１４は、図１〜図６に示すように、先細り形状に形成されている。操作突起部１４を横アーム部１３ａの長さよりも小さく形成し、かつ、先細り形状に形成したのは、後述する図１１及び図１２に示すように、小型に形成されかつ突出量が小さく形成されているハンドル６１の起倒操作を容易にするためである。
【００３２】
次に、図６を参照しながら照明部１５について説明する。照明部１５は、第２主軸部１２ｂと同軸状に設けられた筒状筐体１６と、筒状筐体１６に対して回動自在（図６中の矢印参照）に設けられた発光素子部１７と、筒状筐体１６の内部に設けられ発光素子部１７に電力を供給する電源１８と、筒状筐体１６の外部に設けられ電源１８と発光素子部１７との接続回路を開閉するスイッチ２０と、を有する。
【００３３】
筒状筐体１６は、照明部１５の本体をなし、第２主軸部１２ｂの上端部に固定されている。筒状筐体１６は、後述する球状体１７ｃを摺動自在に収納するために球状に凹設された球状凹部１６ａと、後述する首部１７ｂの回動空間をなす拡開凹部１６ｂと、後述する摺動爪１７ｄの摺動範囲を規制する規制溝１６ｃと、後述する電池１８ａを収納する収納凹部１６ｄと、を備えて構成されている。なお、筒状筐体１６には、収納凹部１６ｄの開口を閉める蓋（図示せず）が着脱自在に設けられている。
【００３４】
発光素子部１７は、円筒ケースに収納された白色のＬＥＤ１７ａと、当該円筒ケースの底部に突設された首部１７ｂと、当該首部１７ｂの先端に設けられた球状体１７ｃと、当該球状体１７ｃの直径方向両端から突設された一対の摺動爪１７ｄと、から構成されている。
【００３５】
球状体１７ｃは、筒状筐体１６の球状凹部１６ａに回動自在に収納されている。発光素子部１７は、摺動爪１７ｄが球状凹部１６ａの内面に摺接することにより、所定の回動角度を維持できるように構成されている。
【００３６】
電源１８は、ＬＥＤ１７ａに電力を供給する電池（例えば、単４型の電池）１８ａと、電池１８ａを保持する一対の端子１８ｂ，１８ｃと、端子１８ｂ，１８ｃとＬＥＤ１７ａとを接続する配線１９，１９と、を備える。すなわち、配線１９，１９は、電池１８ａとＬＥＤ１７ａとの接続回路の一部をなす。スイッチ２０は、前記接続回路を開閉する押しボタンスイッチであり、筒状筐体１６の表面に設けられている。
【００３７】
＜ブレーカ操作具の使用方法＞
次に、ブレーカ操作具１０の使用方法について図７〜図１２を参照しながら説明する。ここで、図７は、漏電ブレーカの「切」操作の様子を示す側面図、図８は、漏電ブレーカの「入」操作の様子を示す側面図、図９は、テストボタンの押圧操作の様子を示す側面図、図１０は、照明部によって漏電ブレーカを照明している様子を示す側面図である。なお、図７〜図１０においては、説明の便宜上、ブレーカ操作具１０の全長を最短にした状態を示してある。
【００３８】
また、図１１は、フラットハンドルを備えた安全ブレーカの「切」操作前の様子を示す側面図、図１２は、フラットハンドルを備えた安全ブレーカの「切」操作後の様子を示す側面図である。
【００３９】
先ず、突出量と幅が比較的大きなハンドル５１を備えた漏電ブレーカ５０を例にして、図７及び図８を参照しながら説明する。ハンドル５１は、上方に位置している時には、「入」すなわち通電可能状態となり、下方に位置している時には、「切」すなわち電気遮断状態となるように構成されている。
【００４０】
したがって、ハンドル５１を上向きの「入」状態から下向きの「切」状態に操作するときには、図７に示すように、ハンドル５１の上面に横アーム部１３ａの下面を当接させながら下方（図７中の矢印参照）に引けばよい。
【００４１】
一方、ハンドル５１を下向きの「切」状態から上向きの「入」状態に操作するときには、図８に示すように、ハンドル５１の下面に横アーム部１３ａの上面を当接させながら上方（図８中の矢印参照）に押し上げればよい。なお、以上の操作は、操作突起部１４によって行うこともできる。
【００４２】
また、図９に示すように、漏電ブレーカ５０のテストボタン５３を操作するときには、操作突起部１４の先端部をテストボタン５３に当接させて押圧する。漏電表示ボタン５２を操作するときにも、操作突起部１４によって上記テストボタン５３と同様に押圧すればよい。
【００４３】
また、図１０に示すように、作業環境が暗く操作対象が見えにくい場合には、照明部１５のスイッチ２０を入れてＬＥＤ１７ａを発光させ、発光素子部１７を回動させて所望の照射角度に設定する。そして、操作対象を照らしながら、所定の作業を行うことができる。
【００４４】
次に、小型のハンドル６１を備えた安全ブレーカ６０の操作方法について説明する。このハンドル６１は、「入」時にほぼ平坦となり（図１１参照）、「切」時に若干突出するように構成されている（図１２参照）。したがって、ハンドル６１を「入」から「切」に引き起こす操作は、従来のブレーカ操作具に係るローラ等の操作部では、きわめて困難である。
【００４５】
これに対して、本実施の形態に係るブレーカ操作具１０の操作突起部１４によれば、図１１に示すように、操作突起部１４をハンドル６１の上端部に引っ掛けて手前に引く。すると、図１２に示すように、ハンドル６１を容易かつ迅速に「入」から「切」に引き起こすことができる。
【００４６】
なお、ハンドル６１を「切」から「入」に操作する場合には、横アーム部１３ａ又は操作突起部１４のいずれでも容易に操作することができる。
【００４７】
以上のように、本実施の形態に係るブレーカ操作具１０によれば、ハンドル６１のようなフラットハンドルを備えた安全ブレーカ６０であっても、容易かつ確実に起倒操作ができる。また、漏電表示ボタン５２やテストボタン５３のような押圧スイッチを備えた漏電ブレーカ５０であっても、容易かつ確実に起倒操作ができる。
【００４８】
また、ブレーカ操作具１０は、伸縮自在に構成されているので、伸長すれば高所作業に対応できると共に、不使用時には、長さを縮めることにより携帯し易くなる。
【００４９】
また、作業環境が暗く操作対象が見えにくい場合であっても、照明部１５によって操作対象を照らしながら、作業を行うことができる。
【００５０】
なお、上記実施の形態においては、漏電表示ボタン５２やテストボタン５３等の押圧スイッチを備えた漏電ブレーカ５０に対してブレーカ操作具１０を使用する例を示したが、上記押圧スイッチを含まないハンドルのみを備えたブレーカに対しても使用することができる。
【図面の簡単な説明】
【００５１】
【図１】主軸部を伸長させたブレーカ操作具を示す正面図である。
【図２】主軸部を縮めたブレーカ操作具を示す正面図である。
【図３】ブレーカ操作具を示す平面図である。
【図４】操作突起部の先端方向から見たブレーカ操作具を示す側面図である。
【図５】操作突起部の背後方向から見たブレーカ操作具を示す側面図である。
【図６】照明部の構成を示す部分断面図である。
【図７】漏電ブレーカの「切」操作の様子を示す側面図である。
【図８】漏電ブレーカの「入」操作の様子を示す側面図である。
【図９】テストボタンの押圧操作の様子を示す側面図である。
【図１０】照明部によって漏電ブレーカを照明している様子を示す側面図である。
【図１１】フラットハンドルを備えた安全ブレーカの「切」操作前の様子を示す側面図である。
【図１２】フラットハンドルを備えた安全ブレーカの「切」操作後の様子を示す側面図である。
【図１３】一般的な分電盤を示す正面図である。
【符号の説明】
【００５２】
１０  ブレーカ操作具
１１  グリップ部
１２  主軸部
１３  操作アーム部
１３ａ  横アーム部
１３ｂ  縦アーム部
１４  操作突起部
１５  照明部
１６  筒状筐体
１７  発光素子部
１８  電源部
２０  スイッチ
４０  分電盤
５０  漏電ブレーカ（ブレーカ）
５１  ハンドル（起倒スイッチ）
５２  漏電表示ボタン（押圧スイッチ）
５３  テストボタン（押圧スイッチ）
６０  安全ブレーカ（ブレーカ）
６１  ハンドル（起倒スイッチ）
７０  アンペアブレーカ（ブレーカ）
７１  ハンドル（起倒スイッチ）
【図１】
2010027345.tif 000003
【図２】
2010027345.tif 000004
【図３】
2010027345.tif 000005
【図４】
2010027345.tif 000006
【図５】
2010027345.tif 000007
【図６】
2010027345.tif 000008
【図７】
2010027345.tif 000009
【図８】
2010027345.tif 000010
【図９】
2010027345.tif 000011
【図１０】
2010027345.tif 000012
【図１１】
2010027345.tif 000013
【図１２】
2010027345.tif 000014
【図１３】
2010027345.tif 000015